(57)【要約】  本開示は、移動機器に関し、該移動機器が枠フレーム構造とスクリーンモジュールとを含み、前記枠フレーム構造が移動機器の側縁を構成する側縁枠を含み、前記枠フレーム構造の内部には端縁が前記側縁枠の内壁と接続している水平止め板を含み、前記スクリーンモジュールの側縁規格が前記側縁枠の内壁規格と合わせられ、前記スクリーンモジュールと前記枠フレーム構造とを組合せた後、前記スクリーンモジュールの底面と前記水平止め板の上表面とが接続され、且つ前記スクリーンモジュールの各側縁が何れも前記側縁枠の相応的な内壁と互いに貼り合っている。本開示の技術方案によって、スクリーン占有比率を向上することができ、よりよいユーザー体験を取得するには有益である。【選択図】図３
2017518541.tif 000002
【特許請求の範囲】
【請求項１】
枠フレーム構造とスクリーンモジュールとを含み、
前記枠フレーム構造が移動機器の側縁を構成する側縁枠を含み、前記枠フレーム構造の内部には端縁が前記側縁枠の内壁と接続している水平止め板を含み、
前記スクリーンモジュールの側縁規格が前記側縁枠の内壁規格と合せられ、前記スクリーンモジュールと前記枠フレーム構造とを組合せた後、前記スクリーンモジュールの底面と前記水平止め板の上表面とが接続され、且つ前記スクリーンモジュールの各側縁が何れも前記側縁枠の相応的な内壁と互いに貼り合っていることを特徴とする移動機器。
【請求項２】
前記スクリーンモジュールがガラスパネルを含み、
前記ガラスパネルの側縁が前記側縁枠の内壁と互いに貼り合い、且つ、前記ガラスパネルの側縁の上端縁と前記側縁枠の内壁の上端縁とが接していることを特徴とする請求項１に記載の機器。
【請求項３】
前記スクリーンモジュールがガラスパネルを含み、
前記ガラスパネルの底面が前記側縁枠の天面と面一となり、且つ、前記ガラスパネルの底面の垂直投影領域が前記側縁枠の内壁の上端縁の垂直投影を覆うように、前記ガラスパネルの底面の端縁が前記側縁枠の方向へ延びることを特徴とする請求項１に記載の機器。
【請求項４】
前記スクリーンモジュールが、
前記ガラスパネルの底面に接着しているＬＣＤ表示モジュールと、
ＬＣＤブラケットと、をさらに含み、
前記ＬＣＤブラケットが前記ＬＣＤ表示モジュールの側縁及び底面を包み、前記ＬＣＤブラケットの内表面が前記ＬＣＤ表示モジュールの外表面と合せられ、且つ、前記ＬＣＤブラケットの外表面が前記側縁枠の内壁、前記水平止め板の上表面と合わせられ、
前記スクリーンモジュールと前記枠フレーム構造とを組合せた後、前記ＬＣＤブラケットの側縁と前記側縁枠の内壁とが互いに貼り合わされ、底面と前記水平止め板の上表面とが接続されていることを特徴とする請求項２又は請求項３に記載の機器。
【請求項５】
前記ＬＣＤブラケットが粘着、スナップフィット接続又はホットメルト接続によって前記水平止め板の上表面に接続されていることを特徴とする請求項４に記載の機器。
【請求項６】
前記ＬＣＤ表示モジュールにより、前記ガラスパネルの底面の中間領域に、対応する有効領域が形成され、
前記有効領域の左右端縁と前記底面の左右端縁との間に左右側縁領域が形成され、且つ、前記ＬＣＤ表示モジュールにおけるシルクスクリーンバンドが前記左右側縁領域内に接着されていることを特徴とする請求項４に記載の機器。
【請求項７】
前記左右側縁領域に対応している前記ガラスパネルの表面の部位が円弧状であり、前記有効領域の射出光線が前記左右側縁領域内に反射されるようになることを特徴とする請求項６に記載の機器。
【請求項８】
前記枠フレーム構造が外へ突起するようになることを特徴とする請求項１に記載の機器。
【請求項９】
前記枠フレーム構造の突起部分が鉛直方向に沿うテーブル面を形成し、且つ、該テーブル面の端縁と前記側縁枠の天面外端縁との間に適応的な斜面又は弧面が形成されていることを特徴とする請求項８に記載の機器。
【発明の詳細な説明】
【技術分野】
【０００１】
本開示が端末技術分野に関し、特に移動機器に関する。
【背景技術】
【０００２】
移動機器のスクリーンのサイズが大きくなっていくことにつれて、移動機器自体のサイズも増大して行かなければならない。しかし、スクリーンのサイズの増大は、ユーザーがよりよい視覚効果を取得することには有益であるが、移動機器のサイズの増大は、ユーザーによる携帯、把持などの方面においてマイナス効果を生じ、ユーザーの使用感覚に影響を与える。
【発明の概要】
【０００３】
本開示は、係る技術における欠点を解決するために、移動機器を提供する。
【０００４】
本開示の実施例の第１方面によると、移動機器が提供され、該移動機器が、枠フレーム構造とスクリーンモジュールとを含み、
前記枠フレーム構造が移動機器の側縁を構成する側縁枠を含み、前記枠フレーム構造の内部には端縁が前記側縁枠の内壁と接続している水平止め板を含み、
前記枠フレーム構造が移動機器の側縁を構成する側縁枠を含み、前記枠フレーム構造の内部には端縁が前記側縁枠の内壁と接続している水平止め板を含み、
前記スクリーンモジュールの側縁規格が前記側縁枠の内壁規格と合せられ、前記スクリーンモジュールと前記枠フレーム構造とを組合せた後、前記スクリーンモジュールの底面と前記水平止め板の上表面とが接続され、且つ前記スクリーンモジュールの各側縁が何れも前記側縁枠の相応的な内壁と互いに貼り合っている。
【０００５】
また、前記スクリーンモジュールがガラスパネルを含み、前記ガラスパネルの側縁が前記側縁枠の内壁と互いに貼り合い、且つ、前記ガラスパネルの側縁の上端縁と前記側縁枠の内壁の上端縁とが接されていることが好ましい。
【０００６】
また、前記スクリーンモジュールがガラスパネルを含み、前記ガラスパネルの底面が前記側縁枠の天面と面一となり、且つ、前記ガラスパネルの底面の垂直投影領域が前記側縁枠の内壁の上端縁の垂直投影を覆うように前記ガラスパネルの底面の端縁が前記側縁枠の方向へ延びることが好ましい。
また、前記スクリーンモジュールが、
前記ガラスパネルの底面に接着しているＬＣＤ表示モジュールと、
ＬＣＤブラケットと、をさらに含み、
前記ＬＣＤブラケットが前記ＬＣＤ表示モジュールの側縁及び底面を包み、前記ＬＣＤブラケットの内表面が前記ＬＣＤ表示モジュールの外表面と合わせられ、且つ、前記ＬＣＤブラケットの外表面が前記側縁枠の内壁、前記水平止め板の上表面と合わせられ、
前記スクリーンモジュールと前記枠フレーム構造とを組合せた後、前記ＬＣＤブラケットの側縁と前記側縁枠の内壁とが互いに貼り合わされ、底面と前記水平止め板の上表面とが接続されていることが好ましい。
【０００７】
また、前記ＬＣＤブラケットが粘着、スナップフィット接続又はホットメルト接続によって前記水平止め板の上表面に接続されていることが好ましい。
【０００８】
また、前記ＬＣＤ表示モジュールにより、前記ガラスパネルの底面の中間領域に、対応する有効領域が形成され、
前記有効領域の左右端縁と前記底面の左右端縁との間に左右側縁領域が形成され、且つ、前記ＬＣＤ表示モジュールにおけるシルクスクリーンバンドが前記左右側縁領域内に接着されていることが好ましい。
【０００９】
また、前記左右側縁領域に対応している前記ガラスパネルの表面の部位が円弧状であり、前記有効領域の射出光線が前記左右側縁領域内に反射されるようになることが好ましい。
【００１０】
また、前記枠フレーム構造が外へ突起するようになることが好ましい。
【００１１】
また、前記枠フレーム構造の突起部分が鉛直方向に沿うテーブル面を形成し、且つ、該テーブル面の端縁と前記側縁枠の天面外端縁との間に適応的な斜面又は弧面が形成されていることが好ましい。
【００１２】
本開示の実施例に提供された技術方案は、下記の有益な効果を有する。
【００１３】
上記の実施例から分かるように、本開示において、スクリーンモジュールが底面で枠フレーム構造と接着させることにより、スクリーンモジュールの側面と枠フレーム構造との間に形成されたコロイド層を取り除き、枠フレーム構造のサイズが変わらないうえで、スクリーンモジュールが占有可能な空間寸法を拡大することにより、移動機器のスクリーン占有比率を増大し、ユーザーによりよい使用感覚を提供するには有益である。
【００１４】
以上の一般的な説明及び後述の詳細な説明は、例示的なものに過ぎず、本発明を限定するものではないことを理解すべきである。
【図面の簡単な説明】
【００１５】
ここの図面が明細書に取込まれて本明細書の一部になり、本発明に合致した実施例を示すとともに、明細書と一緒に本開示の原理を解釈するために用いられる。
【図１】係る技術における移動機器の構造概略図である。
【図２】本開示の例示的な実施例による移動機器の構造概略図である。
【図３】本開示の例示的な実施例による他の移動機器の構造概略図である。
【図４】本開示の例示的な実施例によるさらに他の移動機器の構造概略図である。
【図５】本開示の例示的な実施例によるさらに他の移動機器の構造概略図である。
【図６】本開示の例示的な実施例によるさらに他の移動機器の構造概略図である。
【図７】本開示の例示的な実施例によるさらに他の移動機器の構造概略図である。
【発明を実施するための形態】
【００１６】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００１７】
図１が係る技術における移動機器の構造概略図であり、図１に示すように、係る技術における枠フレーム構造１とスクリーンモジュール２とを組合せる時に、枠フレーム構造１の内側に段差構造が形成され、該段差構造がスクリーンモジュール２の端縁の突起と合せられ、且つ、両者に対する固定を実現するように該段差構造の上表面と突起構造の下表面との間にコロイド層３が形成されている。但し、スクリーンモジュール２の端縁の突起構造によって、ＡＡ領域（Ａｃｔｉｖｅ  Ａｒｅａ、有効領域）の境界とスクリーンの境界との間の幅が大き過ぎ、相応的にはスクリーンモジュール２のスクリーン占有比率を減少させる。
【００１８】
従って、本開示は、移動機器の構造を改良することにより、上記した係る技術において存在している技術課題を解決する。
【００１９】
図２は、本開示の例示的な実施例による移動機器の構造概略図であり、図２に示すように、該移動機器は、枠フレーム構造１とスクリーンモジュール２とを含むことができる。
【００２０】
枠フレーム構造１は、移動機器の側縁を構成する側縁枠１１を含み、枠フレーム構造１の内部には端縁が前記側縁枠１１の内壁と接続する水平止め板１２を含む。
【００２１】
前記スクリーンモジュール２の側縁の規格が前記側縁枠１１の内壁の規格と合わせられ、前記スクリーンモジュール２と前記枠フレーム構造１とを組合せた後、前記スクリーンモジュール２の底面が前記水平止め板１２の上表面と接続され、図３に示す組合せ効果が取得され、且つ、前記スクリーンモジュール２の各側縁が何れも前記側縁枠１１の相応的な内壁と互いに貼り合うようになる。
【００２２】
本実施例おいて、当業者として理解すべきは、通常、移動機器の厚さが長さ及び幅より極めて小さいので、厚さと関連する上下左右の側壁は、側壁が正面及び裏面との間の面積の差を示すように「側縁」として称されてもよい。
【００２３】
１．スクリーンモジュール２の構成
１）ガラスパネル２１
図４及び図５は、本開示の例示的な実施例によるさらに他の移動機器の構造概略図であり、図４及び図５に示すように、スクリーンモジュール２は、ガラスパネル２１を含むことができる。
【００２４】
例示的な実施例として、図４に示すように、前記ガラスパネル２１の側縁が側縁枠１１の内壁と互いに貼り合っている。図４において左側及び上側の側縁及び内壁だけを示したが、左側の側縁及び内壁を例として、ガラスパネル２１の側縁の上端縁２１１と側縁枠１１の内壁の上端縁１１１とが接され、勿論、他の側縁と対応する内壁との間でも上端縁が互いに接されている構造姿勢を呈した。
【００２５】
他の例示的な実施例として、図５に示すように、ガラスパネル２１の底面と側縁枠１１の天面とが面一となり、且つ、ガラスパネル２１の底面の垂直投影領域が側縁枠１１の内壁の上端縁１１１の垂直投影を覆うようにガラスパネル２１の底面の端縁が側縁枠１１の方向へ延びている。言い換えれば、ガラスパネル２１の側縁の上端縁２１１が側縁枠１１の内壁の上端縁１１１の外側に位置し、ガラスパネル２１が枠フレーム構造１とスクリーンモジュール２との間の隙間を遮蔽し、これにより、埃が隙間に落ちてしまうことが回避され、且つ、移動機器の見栄えを向上することに有益である。
【００２６】
２）ＬＣＤ表示モジュール２２
スクリーンモジュール２がさらにＬＣＤ表示モジュール２２を含み、該ＬＣＤ表示モジュール２２がガラスパネル２１の底面に接着しており、例えば、光学接着剤などのテープ又は液体接着剤で接着し、図４及び図５に示す透明コロイド層２３を形成している。
【００２７】
例示的な実施例として、通常、ＬＣＤ表示モジュール２２の規格がガラスパネル２１より小さいため、ＬＣＤ表示モジュール２２をガラスパネル２１の底面の中間領域に接着するようになり、スクリーンモジュール２と枠フレーム構造１とを組合せる時に、ガラスパネル２１の側縁の上端縁２１１が側縁枠１１の内壁の上端縁１１１と接すると、ＬＣＤ表示モジュール２２と側縁枠１１の内壁との間に相応的な間隔が存在するようになる。
【００２８】
従って、該実施例において、スクリーンモジュール２は、ＬＣＤ表示モジュール２２の側縁及び底面を包む、図４及び図５に示すＬＣＤブラケット２４をさらに含むこともでき、前記ＬＣＤブラケット２４の内表面と前記ＬＣＤ表示モジュール２２の外表面とが互いに合わせられ、且つ、前記ＬＣＤブラケット２４の外表面と前記側縁枠１１の内壁、前記水平止め板１２の上表面とが互いに合わせられ、これにより、ＬＣＤ表示モジュール２２と側縁枠１１及び水平止め板１２との間の間隔が充填される。ここで、前記スクリーンモジュール２と前記枠フレーム構造１とを組合せた後、前記ＬＣＤブラケット２４の側縁と前記側縁枠１１の内壁とが互いに貼り合われ、底面と前記水平止め板１２の上表面とが接続されている。ＬＣＤブラケット２４が粘着、スナップフィット接続又はホットメルト接続等の方式で水平止め板１２の上表面に接続することができ、例えば、粘着という方式を採用する時に、対応的なコロイド層２５が形成される。
【００２９】
他の例示的な実施例として、図４及び図５に示す構造と違い、ＬＣＤ表示モジュール２２を枠フレーム構造２の側縁枠１１及び水平止め板１２にマッチングさせることにより、スクリーンモジュール２においてＬＣＤブラケット２４を省略してもよい。
【００３０】
図６において、係る技術における移動機器（即ち、図６（ａ））と本開示における移動機器（即ち、図６（ｂ））との断面を比較する。ここで、図６（ａ）におけるスクリーンモジュール２に形成された突起構造がガラスパネル２１の端縁及びシルクスクリーンバンド４１の一部の領域だけであるが、ＬＣＤ表示モジュール２２がスクリーンモジュール２の本体構造内に位置するので、突起構造と関係ない。
【００３１】
従って、本開示において、図６（ａ）におけるスクリーンモジュール２の突起構造及び枠フレーム構造１の段差構造を取り除くことに伴い、図６（ｂ）に示すスクリーンモジュール２において、シルクスクリーンバンド４１の幅も短縮されるとともに、新しいスクリーン境界が形成され、ＡＡ領域の境界と新しいスクリーン境界との間の距離は、図６（ａ）におけるＡＡ領域の境界とスクリーン境界との間の距離よりずっと短くなり、且つＬＣＤ表示モジュール２２の表示機能に対する影響がない。
【００３２】
言い換えれば、本開示において、ＡＡ領域の面積が変わらない状態で、シルクスクリーンバンド４１及びガラスパネル２１の幅を短縮したことにより、移動機器の先端面の総面積を縮小し、これにより、ＡＡ領域が対応しているスクリーン占有比率を相対的に増大して、移動機器の見栄えが向上する。
【００３３】
２．ガラスパネル２１の形状
本開示の技術方案において、ガラスパネル２１の端縁は、何れかの形態を採用でき、例えば、例示的な実施例として、図２〜図４において、ユーザーに切り傷をつくることを回避するようにガラスパネル２１の側縁の上端縁２１１などだけに対して面取り処理が行われる。
【００３４】
他の例示的な実施例として、図７に示すように、ＬＣＤ表示モジュール２２により、ガラスパネル２１の底面の中間領域に、対応する有効領域２１２が形成される。ここで、有効領域２１２の左右端縁と前記底面の左右端縁との間は左右側縁領域２１３（図７において例を挙げて説明するように、左側領域だけを示す。）を形成し、且つ前記ＬＣＤ表示モジュール２２におけるシルクスクリーンバンド（図示せず）が前記左右側縁領域２１３内に接着されている。
【００３５】
同時に、左右側縁領域２１３に対応しているガラスパネル２１の表面の部位が円弧状であり、有効領域２１２の射出光線が左右側縁領域２１３内に反射されるようになる。該実施例において、左右側縁領域２１３にシルクスクリーンバンド等を敷設する必要があり、これにより、ガラスパネル２１の端縁に黒色（又は、他の色）の縞が存在するようになり、左右側縁領域２１３におけるガラスパネル２１の表面円弧角度を調整することにより、有効領域２１２の射出光線が反射及び屈折効果を呈し、これにより、黒色の縞と有効領域２１２の表示内容との間の視覚差が減少されて、視覚効果において黒色の縞の存在が弱化される。
【００３６】
３、枠フレーム構造１の構造
例示的な実施例として、図１〜図４に示すように、枠フレーム構造１の外表面が垂直形状の側壁であってもよいが、他の例示的な実施例として、図７に示すように、移動機器の枠フレーム構造１が左右方向及び上下方向（図７において例を挙げて説明するように左側方向だけを示した。）にそれぞれ外へ突起してもよい。
【００３７】
枠フレーム構造１を外へ突起させることにより、枠フレーム構造１の強度を増加でき、移動機器が落ちて、又は押圧される時に、相応的な衝撃又は圧力を耐えることができ、移動機器の破損が低減される。例示的な実施の形態として、例えば、図７に示すように、枠フレーム構造１の突起部分が鉛直方向に沿うテーブル面１１２を形成し、且つ、該テーブル面１１２の端縁と側縁枠１１の天面外端縁との間に適応的な斜面１１３又は弧面（図示せず）が形成される。
【００３８】
上記の実施例により分かるように、本開示において、スクリーンモジュール２が底面で枠フレーム構造１と接着することにより、スクリーンモジュール２の側面と枠フレーム構造１との間に形成されるコロイド層３を取り除いて、枠フレーム構造１の寸法が変わらないうえで、スクリーンモジュール２が占有可能な空間寸法を拡大することにより、移動機器のスクリーン占有比率を増大して、ユーザーによりよい使用感覚を提供するには有益である。
【００３９】
当業者が明細書を考慮するとともに、ここで開示された開示を実行した後、本開示の他の実施の方案を容易に想到できる。本願が本開示の全ての変形、用途又は適応的な変化を全て包括するべき。これらの変形、用途又は適応的な変化は、本開示において開示されていない本技術分野の公知常識又は慣用技術手段を含む本開示の一般的な原理に従うものである。明細書及び実施例は、例示のものだけであり、本開示の本当の範囲及び主旨が特許請求の範囲により現れる。
【００４０】
本開示は、上記により既に説明されて、且つ図面に示された具体的な構造に限定されていなく、その範囲から逸脱しない限り、各種の修正及び変更をすることができる。本開示の範囲がその特許請求の範囲により限定される。
【００４１】
本願は、出願番号がＣＮ２０１５１０１９１８５０．９で、出願日が２０１５年４月２１日である中国特許出願に基づき優先権を主張し、該中国特許出願のすべての内容を本願に援用する。
【図１】
2017518541.tif 000003
【図２】
2017518541.tif 000004
【図３】
2017518541.tif 000005
【図４】
2017518541.tif 000006
【図５】
2017518541.tif 000007
【図６】
2017518541.tif 000008
【図７】
2017518541.tif 000009
【国際調査報告】
2017518541.tif 000010
2017518541.tif 000011
2017518541.tif 000012
2017518541.tif 000013